(57)【要約】【課題】十分に塵埃が清浄化され、消臭する脱臭性能の良い電気掃除機を提供する。【解決手段】電動送風機２を内蔵した掃除機本体（図示せず）に着脱自在に取り付けられると共に、フィルター（図示せず）で捕集された塵埃を蓄積する集塵部（図示せず）と制御収納ユニット（図示せず）が着脱自在に取り付けられた集塵容器（図示せず）と、制御収納ユニット内に配されたイオンまたはオゾンを放出する高圧発生装置４３または、帯電微粒子水を生成して放出する静電霧化装置４４の動作を制御する制御手段６２と、掃除機本体内または制御収納ユニット内に配され高圧発生装置４３または静電霧化装置４４に電力を供給する電源装置６６を備え、集塵部およびフィルターに、イオンまたはオゾンまたは、帯電微粒子水を放出するもので、イオンまたはオゾンまたは、帯電微粒子水が長い時間集塵容器内に留まり、塵埃の清浄・脱臭性能の良い電気掃除機を提供することができる。【選択図】図５
2013094207.tif 000002
【特許請求の範囲】
【請求項１】
吸引風を発生する電動送風機を内蔵した掃除機本体と、前記掃除機本体に着脱自在に取り付けられると共に、フィルターで捕集された塵埃を蓄積する集塵部と制御収納ユニットが着脱自在に取り付けられた集塵容器と、前記制御収納ユニット内に配され、イオンまたはオゾンを放出する高圧発生装置または、帯電微粒子水を生成して放出する静電霧化装置と、前記高圧発生装置または前記静電霧化装置の動作を制御する制御手段と、前記掃除機本体内または前記制御収納ユニット内に配され前記高圧発生装置または前記静電霧化装置に電力を供給する電源装置を備え、前記集塵部および前記フィルターに、イオンまたは、オゾンまたは、帯電微粒子水を放出することを特徴とする電気掃除機。
【請求項２】
高圧発生装置または静電霧化装置の電源となる電気エネルギーを蓄える蓄電手段と、掃除機本体がコンセントに接続されているかどうかを検知する通電検知手段と、前記掃除機本体が前記コンセントに接続されているときに前記蓄電手段を充電する充電駆動手段を備え、前記コンセントからの電源供給がなくなった場合に、前記蓄電手段によって集塵部およびフィルターにイオンまたは、オゾンまたは、帯電微粒子水を放出することを特徴とする請求項１に記載の電気掃除機。
【請求項３】
制御手段は、電動送風機による吸引がなくなってから、集塵部および、フィルターにイオンまたは、オゾンまたは帯電微粒子水を放出するように制御することを特徴とする請求項１または２に記載の電気掃除機。
【請求項４】
集塵容器が掃除機本体に取り付けられているかどうかを検知する本体着脱検知手段を備え、前記集塵容器が前記掃除機本体に取り付けられているときに、集塵部およびフィルターにイオンまたは、オゾンまたは、帯電微粒子水を放出することを特徴とする請求項１〜３のいずれか１項に記載の電気掃除機。
【請求項５】
制御収納ユニット内にイオンまたは、オゾンまたは、帯電微粒子水を拡散する送風ファンを備え、拡散しながら集塵部およびフィルターにイオンまたは、オゾンまたは、帯電微粒子水を放出することを特徴とする請求項１〜４のいずれか１項に記載の電気掃除機。
【請求項６】
制御収納ユニットに、太陽光や照明等によって発電する発電手段を設け、前記発電手段で蓄電手段に充電を行うことを特徴とする請求項２〜５のいずれか１項に記載の電気掃除機。
【発明の詳細な説明】
【技術分野】
【０００１】
本発明は、電気掃除機に関するもので、特に、集塵容器に堆積された塵埃にイオンまたは、帯電微粒子水を生成して放出するイオン発生装置または静電霧化装置を有する電気掃除機に関するものである。
【背景技術】
【０００２】
従来、この種の電気掃除機として、床ノズルや、掃除機本体の排気経路中に帯電微粒子水を生成して放出する静電霧化装置を配置しているものや、延長管およびホースにも配置しているものがある（例えば、特許文献１参照）。
【０００３】
また、掃除機本体に、イオン発生装置と集塵容器内にイオンを送り込むための送風部を備え、イオン導入口と吸気導入口の開閉をおこなうようにしたものもある（例えば、特許文献２参照）。
【先行技術文献】
【特許文献】
【０００４】
【特許文献１】特開２００９−２５４７８６号公報
【特許文献２】特開２０１１−１５８８２号公報
【発明の概要】
【発明が解決しようとする課題】
【０００５】
しかしながら、前記特許文献１に記載されたような従来の電気掃除機の構成では、イオンまたは帯電微粒子水を集塵容器内に導入するために、掃除機本体内の電動送風機の吸引を行う必要があり、そのために導入されたイオンまたは帯電微粒子水のほとんどは、集塵容器内に留まらず、集塵容器外に排出してしまう。したがって、集塵容器内に集塵された塵埃の表面のアレルゲン物質の不活化、脱臭しかできず、十分に清浄化されず、消臭することができないものであった。
【０００６】
また、前記特許文献２に記載されたような従来の電気掃除機の構成では、イオン導入口や吸気導入口の開閉を行おうとすると、開閉を行うための制御部が必要となり、複雑な構成になってしまう。また開閉口から空気が漏れてしまい、床ノズルからの吸込み力が低減されることにもなる。さらに掃除機本体がコンセントに接続されている時にしか、集塵容器内に集塵された塵埃のアレルゲン物質の不活化、脱臭しかできず、十分に清浄化されず、消臭することができない、という課題があった。
【０００７】
本発明は、前記従来の課題を解決するもので、集塵部およびフィルターに、イオンまたは、オゾンまたは、帯電微粒子水を放出して、十分に塵埃に含まれるアレルゲン物質を不活化し、消臭することができる電気掃除機を提供すること目的とする。
【課題を解決するための手段】
【０００８】
前記従来の課題を解決するために、本発明の電気掃除機は、吸引風を発生する電動送風機を内蔵した掃除機本体と、前記掃除機本体に着脱自在に取り付けられると共に、フィルターで捕集された塵埃を蓄積する集塵部と制御収納ユニットが着脱自在に取り付けられた集塵容器と、前記制御収納ユニット内に配され、イオンまたはオゾンを放出する高圧発生装置または、帯電微粒子水を生成して放出する静電霧化装置と、前記高圧発生装置または前記静電霧化装置の動作を制御する制御手段と、前記掃除機本体内または前記制御収納ユニット内に配され前記高圧発生装置または前記静電霧化装置に電力を供給する電源装置を
備え、前記集塵部および前記フィルターに、イオンまたは、オゾンまたは、帯電微粒子水を放出するもので、直接集塵部およびフィルターにイオンまたは、オゾンまたは、帯電微粒子水を放出することで、イオンまたは、オゾンまたは、帯電微粒子水が長い時間集塵容器内に留まることになるため、十分に塵埃が清浄化され、消臭する脱臭性能の良い電気掃除機を提供することができる。
【発明の効果】
【０００９】
本発明の電気掃除機は、イオンまたは、帯電微粒子水が長い時間、集塵容器内に留まることで、集塵された塵埃に含まれるアレルゲン物質を不活化、消臭し、塵埃の脱臭性能を向上させることを目的としている。
【図面の簡単な説明】
【００１０】
【図１】本発明の実施の形態１における電気掃除機の斜視外観図
【図２】（ａ）同電気掃除機の掃除機本体と集塵容器の斜め前から見た斜視図、（ｂ）同掃除機本体と集塵容器の斜め後ろから見た斜視図
【図３】同電気掃除機の集塵容器の分解斜視図
【図４】同電気掃除機の高圧発生装置及び静電霧化装置のブロック図
【図５】同電気掃除機の制御ブロック図
【図６】本発明の実施の形態２における電気掃除機の制御ブロック図
【図７】同電気掃除機の集塵容器内の塵埃を捨てる時の様子を示す図
【図８】本発明の実施の形態３における電気掃除機の制御ブロック図
【発明を実施するための形態】
【００１１】
第１の発明は、吸引風を発生する電動送風機を内蔵した掃除機本体と、前記掃除機本体に着脱自在に取り付けられると共に、フィルターで捕集された塵埃を蓄積する集塵部と制御収納ユニットが着脱自在に取り付けられた集塵容器と、前記制御収納ユニット内に配され、イオンまたはオゾンを放出する高圧発生装置または、帯電微粒子水を生成して放出する静電霧化装置と、前記高圧発生装置または前記静電霧化装置の動作を制御する制御手段と、前記掃除機本体内または前記制御収納ユニット内に配され前記高圧発生装置または前記静電霧化装置に電力を供給する電源装置を備え、前記集塵部および前記フィルターに、イオンまたは、オゾンまたは、帯電微粒子水を放出するもので、直接集塵部およびフィルターにイオンまたは、オゾンまたは、帯電微粒子水を放出することで、イオンまたは、オゾンまたは、帯電微粒子水が長い時間集塵容器内に留まることになるため、十分に塵埃が清浄化され、消臭する脱臭性能の良い電気掃除機を提供することができる。
【００１２】
第２の発明は、特に、第１の発明の高圧発生装置または静電霧化装置の電源となる電気エネルギーを蓄える蓄電手段と、掃除機本体がコンセントに接続されているかどうかを検知する通電検知手段と、前記掃除機本体が前記コンセントに接続されているときに前記蓄電手段を充電する充電駆動手段を備え、前記コンセントからの電源供給がなくなった場合に、前記蓄電手段によって集塵部およびフィルターにイオンまたは、オゾンまたは、帯電微粒子水を放出するもので、掃除機本体にコンセントからの電源供給がなくなった場合でも、蓄電手段からの電源で集塵部およびフィルターにイオンまたは、帯電微粒子水を放出することができるため、さらに放出時間も長くでき、十分に塵埃のアレルゲン物質の不活化、消臭することができる。
【００１３】
第３の発明は、特に、第１又は第２の発明の制御手段は、電動送風機による吸引がなくなってから、集塵部および、フィルターにイオンまたは、オゾンまたは帯電微粒子水を放出するように制御するもので、集塵容器内に安定して留まっていることになるため、十分に塵埃のアレルゲン物質の不活化、消臭することができる。
【００１４】
第４の発明は、特に、第１〜３のいずれか一つの発明の集塵容器が掃除機本体に取り付けられているかどうかを検知する本体着脱検知手段を備え、前記集塵容器が前記掃除機本体に取り付けられているときに、集塵部およびフィルターにイオンまたは、オゾンまたは、帯電微粒子水を放出するもので、集塵容器単品では放出できなくすることができ、イオンまたは、帯電微粒子水を放出する際に発生するオゾンを使用者が直接吸い込むことをなくすことができる。
【００１５】
第５の発明は、特に、第１〜４のいずれか一つの発明の制御収納ユニット内にイオンまたは、オゾンまたは、帯電微粒子水を拡散する送風ファンを備え、拡散しながら集塵部およびフィルターにイオンまたは、オゾンまたは、帯電微粒子水を放出するもので、より短時間に集塵部およびフィルターにイオンまたは、帯電微粒子水を拡散することができるため、集塵部に蓄積された塵埃およびフィルターに付着した塵埃を均一にアレルゲン物質の不活化、消臭することができる。
【００１６】
第６の発明は、特に、第２〜５のいずれか一つの発明の制御収納ユニットに、太陽光や照明等によって発電する発電手段を設け、前記発電手段で蓄電手段に充電を行うもので、掃除機本体にコンセントからの電源供給がなくなった場合でも、徐々に蓄電手段に充電され、充電完了後に予め設定された時間経過後に、蓄電手段からの電源で集塵部およびフィルターにイオンまたは、帯電微粒子水を放出するようにすれば、さらに放出時間も長くでき、十分に塵埃のアレルゲン物質の不活化、消臭することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における電気掃除機の斜視外観図、図２（ａ）は、同電気掃除機の掃除機本体と集塵容器の斜め前から見た斜視図、図２（ｂ）は、同掃除機本体と集塵容器の斜め後ろから見た斜視図、図３は、同電気掃除機の集塵容器の分解斜視図、図４は、同電気掃除機の高圧発生装置及び静電霧化装置のブロック図、図５は、同電気掃除機の制御ブロック図である。
【００１９】
図１〜５において、本実施の形態における電気掃除機は、延長管２８に取り付けられ塵埃を吸引する吸込具２３を有し、延長管２８は、各種の動作モード（例えば、「強」・「中」・「弱」・「停止」等の吸込み力）が選択できる手元操作部２５とホース接続部２６付きのホース２７とを介して掃除機本体１に連結されている。
【００２０】
掃除機本体１は、後部に吸引風を発生する電動送風機２を内蔵しており、前部に塵埃を分離捕集する集塵容器３が着脱自在に取り付けられている。また、後部にコンセントなどの商用電源３５（後述）に接続して、掃除機本体１に内蔵されている回路基板（図示せず）に電源を供給するための電源コード３４が設けられている。
【００２１】
隔壁１５は、電動送風機２の設置部と集塵容器３とを仕切るもので、電動送風機２の吸引部（図示せず）と連通する格子状の隔壁開口部１６が設けられている。
【００２２】
集塵容器３には、着脱自在に装着される濾過手段としてのフィルターユニット５と、塵埃を蓄積しておく集塵部４と、着脱自在に装着され制御部（図示せず）を内蔵し、集塵容器３のハンドル２２が回動可能に取り付けられた制御収納ユニット４２で構成されており、制御収納ユニット４２に、イオンまたはオゾンを放出する高圧発生装置４３または、帯電微粒子水を生成して放出する静電霧化装置４４およびフィルターユニット５に振動衝撃を加える除塵装置４５が収納固定されている。
【００２３】
また、集塵容器３を掃除機本体１に装着した際に、掃除機本体１の本体吸気口１７と連通して、吸引風を集塵部４へと導く集塵容器吸気口６を備えている。集塵容器３の底部には、蓋体７が開閉自在に取り付けられており、蓋体７を開くことで、集塵部４内に蓄積された塵埃を外部に排出することができる。
【００２４】
また、隔壁１５には、集塵容器３の制御収納ユニット４２に設けられた高圧発生装置４３または、静電霧化装置４４および除塵装置４５に通電するための給電端子４６が設けられており、この給電端子４６と対となる受電端子４７が、集塵容器３の制御収納ユニット隔壁２１に設けられている。これらの端子は集塵容器３を掃除機本体１に装着した際に接続される構成となっている。
【００２５】
次に集塵容器３の内部構成について図３を用いて説明する。
【００２６】
図３において、フィルターユニット５は、枠体８と、プリーツ折りされ、そのプリーツ目を縦方向にして枠体８に設けられたフィルター９と、横方向に摺動自在に設けられた弾き体１０と、フィルターユニット５に回転自在に設けられた除塵ギヤ１１と、除塵ギヤ１１の外周部と弾き体１０の一部とを連結する除塵連結棒１２とから構成されている。
【００２７】
さらに、弾き体１０のフィルター９と対向する面には、プリーツ折りされたフィルター９の各山折り部９ａに当接する突起（図示せず）が設けられている。
【００２８】
固定棒１３は、枠体８に固定されており、この固定棒１３に、除塵ギヤ１１の回転軸が固定されると共に、弾き体１０の動作方向が、左右の横方向に動作するよう規制する構成となっている。除塵連結棒１２の除塵ギヤ１１側は、除塵ギヤ１１と噛み合うような歯形形状となっており、除塵ギヤ１１が正転、または逆転することにより、除塵連結棒１２がスライドし、弾き体１０を左右方向に移動する構成となっている。また、除塵ギヤ１１と噛み合う形状のギヤ３０を備えた除塵装置４５が除塵ギヤ１１と接続されており、この除塵装置４５が回転することで、除塵ギヤ１１に動力を伝達する。
【００２９】
フィルターユニット５を集塵容器３内に収納し、制御収納ユニット４２を集塵容器３の上方に取り付けることで、弾き体１０と除塵ギヤ１１と除塵連結棒１２と固定棒１３と、除塵装置４５が連結され、フィルターユニット５の上部に高圧発生装置４３または、静電霧化装置４４の発生部（図示せず）が固定される。
【００３０】
上記構成により、除塵装置４５が回転すると、除塵連結棒１２を介して連結された弾き体１０が左右に往復移動すると共に、その間に、弾き体１０に設けた突起（図示せず）が、フィルター９の山折り部９ａを弾き、フィルター９を中心に集塵容器３全体に振動が伝播する。この振動や衝撃で、フィルター９の裏面（集塵部４側の面）に付着した細塵がふるい落とされ、集塵部４に溜まると共に、フィルター９の濾過性能が復活するようになっている。
【００３１】
図４において、高圧発生装置４３は、針状電極５０と、アース電極５１が保持固定されており、これらの針状電極５０とアース電極５１間に高電圧を印加すると、イオンまたは、オゾンが放出されるようになっている。アース電極５１に対して、針状電極５０にマイナス電位の高電圧（例えば、−５ｋＶ）を印加すると、マイナスイオンおよびオゾンが発生するものである。針状電極５０とアース電極５１間の距離を近づけたり、高電圧を高くすることにより、マイナスイオンとオゾン量は可変される。
【００３２】
静電霧化装置４４は、針状電極５０とアース電極５１が保持固定されており、針状電極
５０は、電気的には絶縁されているが、温度伝達的にペルチェ素子５２と接続されていて、ペルチェ素子５２への電圧印加によって、針状電極５０が冷却され。さらに、ペルチェ素子５２は、放熱フィン５３とも温度伝達的に接続されており、針状電極５０の冷却と相殺される発熱を放熱フィン５３に放熱するようになっている。
【００３３】
静電霧化装置制御部５４は、針状電極５０とアース電極５１間に高圧を印加させる高圧発生装置５５と、針状電極５０を冷却させるペルチェ素子５２に電圧を印加する直流電源手段５６があり、針状電極５０に周辺の水分が結露する温度で制御している。この構成により、静電霧化装置４４の高電圧（例えば６ｋＶ）を印加された針状電極５０は、内蔵するペルチェ素子５２のペルチェ効果によって冷却されて、空気中の水分を結露させ、コロナ放電によって微粒子水で包まれた帯電微粒子水が発生するものである。
【００３４】
次に、図５を用いて、本実施の形態における電気掃除機の制御方法について説明する。
【００３５】
掃除機本体１内の通電検知手段６１は、掃除機本体１が、商用電源３５に接続され、通電されたかどうかを検知するものであり、検知信号を制御手段６２に出力している。制御手段６２は、マイクロコンピュータなどにより構成されており、使用者によって手元操作部２５より入力された操作情報に基づき、電動送風機駆動手段６３へ位相制御するための点弧パルスを出力する制御を行ったり、操作情報や通電検知手段６１の検知情報に基づき、高圧発生装置４３または、静電霧化装置駆動手段６４と除塵駆動手段６５に駆動信号を出力し、制御を行っている。
【００３６】
電動送風機駆動手段６３は、電動送風機２を駆動するための双方向性サイリスタなどで構成された駆動手段であり、電動送風機２を位相制御し吸込み力を変化させる。高圧発生装置駆動手段または静電霧化装置駆動手段６４は、高圧発生装置４３または、静電霧化装置４４を駆動させるために、トランジスタや、リレーなどで構成された駆動手段であり、ＯＮ／ＯＦＦ制御をしている。
【００３７】
除塵駆動手段６５は、除塵装置４５を駆動させるためにトランジスタや、リレーなどで構成された駆動手段であり、ＯＮ／ＯＦＦ制御をしている。電源装置６６は、商用電源からの交流電源を、スイッチング電源等で直流に変換するもので高圧発生装置４３または、静電霧化装置４４および除塵装置４５の電源となるものである。本実施の形態では、直流電源が１つの形態について説明を行うが、高圧発生装置４３または、静電霧化装置４４の電源と、除塵装置４５の電源をそれぞれに分けて、動作させてもよいことはいうまでもない。
【００３８】
さらに高圧発生装置４３または、静電霧化装置４４および除塵装置４５が、ＡＣ駆動可能なものであれば直流電源でなくてもよいことはいうまでもない。電源装置６６で作られた直流電源は、それぞれの駆動手段を介して、集塵容器３が掃除機本体１に装着されているときに、掃除機本体１の給電端子４６と、集塵容器３の受電端子４７が接続することによってそれぞれの装置に電源供給されるようになっている。
【００３９】
以上のように構成された本実施の形態における電気掃除機について、以下、図５を用いて、その動作、作用を説明する。
【００４０】
まず、使用者が掃除を行うために掃除機本体１より電源コード３４を引き出して、電源コード３４の先に付いているプラグ３４ａをコンセント（図示せず）に接続し、掃除機本体１が商用電源３５に接続されると、通電検知手段６１によって制御手段６２に検知信号が伝達される。また商用電源３５から電源装置６６によって直流電源が作られる。
【００４１】
その信号を受けて、制御手段６２は、除塵駆動手段６５に、予め設定している一定時間動作信号を送り、直流電源の供給電圧により、一定時間、除塵装置４５を駆動し、集塵容器３内のフィルター９の除塵を行う。また、高圧発生装置駆動手段または静電霧化装置駆動手段６４および除塵駆動手段６５に動作信号を送り、高圧発生装置４３または静電霧化装置４４が駆動し、集塵容器３の集塵部４に蓄積している塵埃と、フィルター９に付着している塵埃にイオンまたは、オゾンまたは、帯電微粒子水を放出する。
【００４２】
次に、使用者が、手元操作部２５を操作し、例えば、動作モード「中」を選択すると、制御手段６２は、手元操作部２５からの情報を基に、電動送風機駆動手段６３に予め定められた信号を送り、電動送風機２を駆動させる。電動送風機２による吸引力は、フィルター９、集塵部４、ホース２７、延長管２８を経て吸込具２３に至る。そして、吸込具２３から吸引された塵埃を含んだ空気が、本体吸気口１７を通って集塵容器３の集塵容器吸気口６から集塵部４に入り、フィルター９に当たりそこで塵埃が捕集され、堆積していく。フィルター９を通過した空気は、隔壁開口部１６を経由して電動送風機２に吸引される。また、掃除動作中に堆積された塵埃にも、イオンまたは、オゾンまたは、帯電微粒子水が放出される。
【００４３】
掃除を終了した際に、使用者が、手元操作部２５の「停止」を選択し、電動送風機２の駆動を停止させた際にも、直流電源の制御電圧により一定時間除塵動作を行い、フィルター９の塵埃を取り除くことができる。また、掃除終了し、電動送風機２による吸引がなくなっても堆積された塵埃にもイオンまたは、オゾンまたは、帯電微粒子水が放出される。
【００４４】
集塵部４に塵埃が堆積して体積許容量を超えたときには、使用者は、まず掃除機本体１から集塵容器３を取り外し、集塵容器３をゴミ箱（図示せず）の上等に移動させる。次に蓋体７を開くと、集塵部４内に蓄積されていた塵埃は、ゴミ箱の中に排出される。集塵容器３を掃除機本体１から取り外したときに、給電端子４６からの電源給電がなくなり、イオンまたは、オゾンまたは、帯電微粒子水の放出が停止される。再度、集塵容器３を掃除機本体１に取り付けると給電端子４６からの電源給電ができ、再度イオンまたは、オゾンまたは、帯電微粒子水の放出が行われる。
【００４５】
ここでは、電源が供給されている間は、高圧発生装置４３または静電霧化装置４４の動作は、連続動作で説明を行ったが、間欠動作や電動送風機２からの吸引がない状態である停止時のみや、集塵部４やフィルター９に塵埃があるときだけに動作させてもよいことはいうまでもない。
【００４６】
上記実施の形態では、電源装置６６を、掃除機本体１に搭載した構成で説明を行ったが、電源装置６６を、集塵容器３の制御収納ユニット４２に備え、制御手段６２とは別の集塵容器制御手段（図示せず）で制御手段６２と通信を行って動作させても、同じ動作を実現できることはいうまでもない。さらに、制御収納ユニット４２のフィルター９側に送風ファン（図示せず）を固定して、掃除停止中にイオンまたは、オゾンまたは、帯電微粒子水を、堆積した塵埃全体に放出し、拡散できるようにしてもよいことはいうまでもない。
【００４７】
以上のように、本実施の形態における電気掃除機によれば、コンセントに接続したときに、集塵容器３内に備えた高圧発生装置４３または、静電霧化装置４４を動作させることで、掃除動作中だけでなく、吸気がない停止状態でも、直接、集塵部４および、フィルター９にイオンまたは、オゾンまたは、帯電微粒子水を放出することにより、イオンまたは、帯電微粒子水が長い時間、集塵容器３内に留まることができ、十分に塵埃が清浄化され、確実に消臭することができる。
【００４８】
（実施の形態２）
図６は、本発明の実施の形態２における電気掃除機の制御ブロック図、図７は、同電気掃除機の集塵容器内の塵埃を捨てる時の様子を示す図である。なお、上記実施の形態１における電気掃除機と同一構成の部品については、同一符号を付し、説明を省略する。
【００４９】
図６において、本実施の形態の電気掃除機においては、集塵容器３に着脱自在に装着された制御収納ユニット４２内に、蓄電手段７０と、この蓄電手段７０で動作させるように構成された集塵容器制御手段７１と、を備えた制御基板（図示せず）が固定されている。集塵容器３単体で使用者が除塵動作を行うためのスイッチ等の除塵動作手段１８が固定されている。
【００５０】
充電駆動手段７２は、電源装置６６を電源として給電端子４６、及び受電端子４７を介して集塵容器３内の蓄電手段７０を充電制御するためのものであり、制御手段６２からの動作信号により充電のＯＮ／ＯＦＦ制御を行う。
【００５１】
本実施の形態においては、蓄電手段７０は、電気二重層コンデンサや２次電池等で構成され、掃除機本体１がコンセントに接続していないときに、集塵容器制御手段７１と、高圧発生装置４３または、静電霧化装置４４を動作させる電源となるものであり、また集塵容器３だけのときに除塵装置４５を動作させる電源となるものである。
【００５２】
定電圧手段７８は、蓄電手段７０の電圧を一定電圧に制御する手段で、集塵容器制御手段７１および高圧発生装置４３または静電霧化装置４４および除塵装置４５を安定した電圧で動作させるものである。
【００５３】
電源切替手段７３は、掃除機本体１の電源装置６６からの電源供給が、給電端子４６と受電端子４７を介して供給されている場合には、そちらの電源を出力し、供給がないときには、蓄電手段７０からの電源を出力するように切替える電源切替え手段であり、掃除機本体１がコンセントに接続されていない場合や、集塵容器３が、掃除機本体１から取り外されているときに、蓄電手段７０に切り替わるようになっている。
【００５４】
本体着脱検知手段７４は、集塵容器３が掃除機本体１に取り付けられているかを検出するものであり、その信号を集塵容器制御手段７１に伝達している。
【００５５】
以上のように構成された本実施の形態における電気掃除機の動作、作用について、以下、図６を用いて説明する。
【００５６】
まず、使用者が掃除を行うために、掃除機本体１の電源コード３４を商用電源３５に接続すると、通電検知手段６１によって制御手段６２に検知信号が伝達される。また商用電源３５から電源装置６６によって直流電源が作られる。電源切替手段７３は、電源装置６６からの電源供給があるため、電源装置６６から電源供給するように切り替えを行っている。
【００５７】
その信号を受けて、制御手段６２は、集塵容器制御手段７１に通電された情報を伝達する。その情報を受けて集塵容器制御手段７１は、除塵駆動手段６５に予め設定している一定時間動作信号を送り、直流電源の供給電圧により一定時間除塵装置４５が駆動し、集塵容器３内のフィルター９の除塵を行う。
【００５８】
また、高圧発生装置４３または、静電霧化装置駆動手段６４および除塵駆動手段６５に動作信号を送り、高圧発生装置４３または静電霧化装置４４を駆動し、集塵容器３の集塵部４に蓄積している塵埃と、フィルター９に付着している塵埃にイオンまたは、オゾンまたは、帯電微粒子水を放出する。
【００５９】
一定時間経過し除塵動作が終了すると、制御手段６２は充電駆動手段７２に信号を送り、蓄電手段７０の充電を開始する。充電が完了しないで、使用者が手元操作部２５を操作し、掃除を行っている場合にも、充電は継続して行われるが、動作モード「停止」を操作したときは、充電を一旦停止し、一定時間除塵を行う。これは、除塵動作と充電動作を両方行うと、電源装置６６の出力容量が多く必要となるため、大型化しないような配慮であり、両方動作してもよいことは言うまでもない。
【００６０】
高圧発生装置４３または、静電霧化装置４４の動作は、掃除動作中や、蓄電手段７０に充電を行っている間でも連続的に動作しており、堆積された塵埃にもイオンまたは、オゾンまたは、帯電微粒子水を放出している。
【００６１】
掃除が終了して、コンセントから電源コード３４を抜き、商用電源３５からの電源供給がなくなると、電源装置６６からの電源供給がなくなるため、電源切替手段７３は、蓄電手段７０から電源を供給するように切替を行っており、蓄電手段７０からの電源で、定電圧手段７８にて一定電圧に変換した電圧を電源として、集塵容器制御手段７１が動作し、本体着脱検知手段７４で集塵容器３が掃除機本体１に接続されていることを検知し、一定周期間隔で、高圧発生装置４３または、静電霧化装置４４を動作させ、蓄電手段７０の充電容量がなくなるまで、堆積された塵埃にイオンまたは、オゾンまたは、帯電微粒子水を放出している。
【００６２】
本実施の形態では、一定周期で説明しているが、これはイオンまたはオゾンまたは帯電微粒子水が消滅してから、放出する間欠動作のほうが、時間も長く放出できるため、効率的であり、その説明を行っているが、連続動作でもよいことはいうまでもない。集塵容器３が掃除機本体１から取り外されると、本体着脱検知手段７４によりそれを検出し、高圧発生装置４３または、静電霧化装置４４の動作を停止させる。
【００６３】
次に、集塵部４内に蓄積された塵埃を廃棄する場合を説明する。
【００６４】
使用者は、まず掃除機本体１から集塵容器３を取り外し、集塵容器３を、ゴミ箱の上等に移動させる。次に蓋体７を開くと、集塵部４内に蓄積されていた塵埃はある程度ゴミ箱の中に排出されるが、集塵部４の内壁や蓋体７に塵埃が一部付着したまま残る。
【００６５】
この時、電源切替手段７３は、受電端子４７からの電源供給がなくなっているため、蓄電手段７０から電源を供給するように切替を行っており、使用者が除塵動作手段１８を動作させると、蓄電手段７０からの電源で定電圧手段７８にて一定電圧に変換した電圧を電源として、集塵容器制御手段７１が動作し、本体着脱検知手段７４で集塵容器３が掃除機本体１より取り外されていることを検知し、除塵装置４５を一定時間動作させ、弾き体１０の動作によってフィルター９を中心に集塵容器３全体が振動し、図７に示すようにフィルター９だけでなく、集塵部４の内壁や、蓋体７に振動が伝播、さらに送風され、付着した塵埃が除去される。
【００６６】
本実施の形態では、集塵容器３単体で蓄積された塵埃を廃棄するための除塵装置４５を動作させるために、集塵容器３の制御収納ユニット４２内に蓄電手段７０や集塵容器制御手段７１を搭載し、蓄電手段７０を、掃除機本体１の電源装置６６から充電を行う構成で説明を行ったが、高圧発生装置４３および静電霧化装置４４の動作だけであれば、蓄電手段７０は、掃除機本体１内に備えてもよいことはいうまでもない。
【００６７】
その場合には、本体着脱検知手段７４がなくても、取り外した時点で電源供給がなくなるため、集塵容器３単体では動作できないため、構成が比較的容易に行える。さらに、制
御収納ユニット４２のフィルター９側に送風ファンを固定して、掃除停止中に、イオンまたは、オゾンまたは、帯電微粒子水を堆積した塵埃全体に放出し、拡散できるようにしてもよいことはいうまでもない。
【００６８】
以上のように、本実施の形態においては、掃除機本体１にコンセントからの電源供給がなくなった場合でも、予め設定された時間経過後に、蓄電手段７０からの電源で、集塵部４およびフィルター９にイオンまたは、帯電微粒子水を放出することができるため、さらに放出時間も長くでき、十分に塵埃のアレルゲン物質の不活化、消臭することができる。
【００６９】
（実施の形態３）
図８は、本発明の実施の形態３における電気掃除機の制御ブロック図である。なお、上記実施の形態における電気掃除機と同一構成の部品については、同一符号を付し、説明を省略する。
【００７０】
本実施の形態における電気掃除機は、図８に示すように、集塵容器３の天面に、太陽光や照明等で発電する太陽光パネル等からなる発電手段８０を固定し、その発電手段８０で発電された電源を蓄電手段７０に充電する充電手段８１を備えたものである。
【００７１】
以上のように構成された本実施の形態における電気掃除機について、その動作、作用を説明する。
【００７２】
掃除を行っているときや、掃除が終了して掃除機本体１が放置されているときに、発電手段８０によって発電され、蓄電手段７０に充電される。
【００７３】
以上のように、本実施の形態においては、掃除機本体１から充電のための電源を供給しなくても、発電手段８０によって充電を行えるため、省エネが実現できる。
【産業上の利用可能性】
【００７４】
以上のように、本発明にかかる電気掃除機は、集塵容器３内に蓄積された塵埃や、フィルター９に付着した塵埃に、停止中や、コンセントからの電源供給がない場合にも、イオンやオゾンや帯電微粒子水を放出することで、放出時間も長くでき、十分に塵埃のアレルゲン物質の不活化、消臭することができ、使い勝手の良いもので、家庭用、業務用、店舗用の各種電気掃除機に適用できる。
【符号の説明】
【００７５】
１  掃除機本体
２  電動送風機
３  集塵容器
４  集塵部
９  フィルター
４２  制御収納ユニット
４３、５５  高圧発生装置
４４  静電霧化装置
６１  通電検知手段
６２  制御手段
６６  電源装置
７０  蓄電手段
７１  集塵容器制御手段
７２  充電駆動手段
７４  本体着脱検知手段
８０  発電手段
【図４】
2013094207.tif 000003
【図５】
2013094207.tif 000004
【図６】
2013094207.tif 000005
【図８】
2013094207.tif 000006
【図１】
2013094207.tif 000007
【図２】
2013094207.tif 000008
【図３】
2013094207.tif 000009
【図７】
2013094207.tif 000010